(57)【要約】  同期電動機は、周方向に等間隔に配置された磁極を含む回転子と、周方向に間隔をあけて配置された固定子ティースを含む固定子とを備える。基準の固定子ティースに対してその他の固定子ティースは、電気角による角度で二相交流の位相差の整数倍に相当する位置からずれた位置に配されている。そして、ずれた位置にある固定子ティースには、二相交流の第一相が供給される第一の巻線および二相交流の第二相が供給される第二の巻線の両方が集中巻に巻回されている。
2010050172.tif 000002
【特許請求の範囲】
【請求項１】
第一相および第二相の交流からなる二相交流により駆動される同期電動機であって、
周方向に等間隔に配置された複数の磁極を含む回転子と、
環状の固定子ヨークおよび当該固定子ヨークに周方向に間隔をあけて配置されたＮ（Ｎは４以上の整数）個の固定子ティースを含む固定子とを備え、
前記固定子において、電気角で同じ位置にある固定子ティースがｎ（ｎは２以上の整数）個ずつ存在し、周方向に並んだｋ（ｋは２以上の整数）個の固定子ティース単位で回転対称になって、前記Ｎ個（Ｎは４以上の整数で、Ｎ＝ｋ・ｎ）の固定子ティースを構成しており、
各固定子ティース単位において、ｋ個の固定子ティースのうちの一つを基準の固定子ティースとしたとき、残りの固定子ティースのうちの少なくとも一つは、前記基準の固定子ティースに対して電気角で前記二相交流の位相差の整数倍に相当する位置からずれた位置にあり、
前記基準の固定子ティースには、前記第一相の交流が供給される第一の巻線および前記第二相の交流が供給される第二の巻線の何れか一方のみが集中巻に巻回され、
前記ずれた位置にある固定子ティースには、前記第一相の交流が供給される第一の巻線および前記第二相の交流が供給される第二の巻線の両方がそれぞれ集中巻に巻回され、
前記固定子ティース単位毎に、固定子ティースに巻回された第一の巻線が直列に接続され、
前記固定子ティース単位と同じ、または、それとは異なる周方向に並んだｋ個の固定子ティース単位毎に、固定子ティースに巻回された第二の巻線が直列に接続されていること
を特徴とする同期電動機。
【請求項２】
前記Ｎ個の固定子ティースにおいて、前記第一相の電流が供給される第一の巻線および前記第二相の電流が供給される第二の巻線は、隣接する固定子ティースが互いに逆向きの磁界を発生させるように巻回されていること
を特徴とする請求項１に記載の同期電動機。
【請求項３】
前記二相交流の位相差をφラジアンとし、
前記基準の固定子ティースの位置に対する前記ずれた位置にある固定子ティースの位置を電気角でθｎラジアンとし、
前記基準の固定子ティースには、前記第一相の交流が供給される第一の巻線のみが巻回されており、そのターン数をＮ０とし、
前記ずれた位置にある固定子ティースに巻回された第一の巻線のターン数Ａｎ、第二の巻線のターン数Ｂｎは、以下の関係式から得られ、
Ａｎ＝Ｎ０×｛ｃｏｓ（θｎ）−ｓｉｎ（θｎ）／ｔａｎ（φ）｝
Ｂｎ＝Ｎ０×｛ｓｉｎ（θｎ）／ｓｉｎ（φ）｝
ターン数Ａｎ、Ｂｎの値の正負は、通電時において発生する磁界の向きを示すこと
を特徴とする請求項１に記載の同期電動機。
【請求項４】
前記二相交流の位相差をπ／２ラジアンとし、
前記基準の固定子ティースの位置に対する前記ずれた位置にある固定子ティースの位置を電気角でθｎラジアンとし、
前記基準の固定子ティースには、前記第一相が供給される第一の巻線のみが巻回されており、そのターン数をＮ０とし、
前記ずれた位置にある固定子ティースに巻回された第一の巻線のターン数Ａｎ、第二の巻線のターン数Ｂｎは、以下の関係式から得られ、
Ａｎ＝Ｎ０×ｃｏｓ（θｎ）
Ｂｎ＝Ｎ０×ｓｉｎ（θｎ）
ターン数Ａｎ、Ｂｎの値の正負は、通電時において発生する磁界の向きを示すこと
を特徴とする請求項１に記載の同期電動機。
【請求項５】
前記Ｎ個の固定子ティースが等間隔で配置されており、前記残りの固定子ティースの全部が、前記ずれた位置にある固定子ティースであること
を特徴とする請求項１に記載の同期電動機。
【請求項６】
前記基準の固定子ティースを中央にして９個の固定子ティースの組が二つ以上周方向に繰り返された構成を有すること
を特徴とする請求項５に記載の同期電動機。
【請求項７】
前記Ｎ個の固定子ティースが不等間隔で配置されており、前記残りの固定子ティースの中には、前記基準の固定子ティースの位置に対して電気角で前記二相交流の位相差の整数倍に相当する位置からずれた位置にある固定子ティースとずれていない位置にある固定子ティースとがあり、
前記ずれていない位置にある固定子ティースには、前記第一相の電流が供給される第一の巻線および前記第二相の電流が供給される第二の巻線の何れか一方のみが集中巻に巻回されていること
を特徴とする請求項１に記載の同期電動機。
【請求項８】
前記基準の固定子ティースを中央にして９個の固定子ティースの組が二つ以上周方向に繰り返された構成を有し、
前記基準の固定子ティースには、前記第一の巻線のみが巻回されており、
前記９個の固定子ティースの組の両端の固定子ティースは、どちらも前記ずれていない位置にある固定子ティースであり、これらには第二の巻線のみが巻回されていること
を特徴とする請求項７に記載の同期電動機。
【請求項９】
前記磁極の数は前記固定子ティースの数と異なる偶数個であること
を特徴とする請求項１に記載の同期電動機。
【請求項１０】
前記磁極の数は１０以上であること
を特徴とする請求項９に記載の同期電動機。
【請求項１１】
前記同期電動機は、各巻線の位置関係を維持しつつ前記固定子ティースを無くしたコアレス型の同期電動機であること
を特徴とする請求項１に記載の同期電動機。
【請求項１２】
前記Ｎ個の固定子ティースのうち少なくとも一つは、前記回転子の軸方向に進むほど周方向に最大で固定子ティースの配置間隔だけずれていくスキュー配置が施されていること
を特徴とする請求項１に記載の同期電動機。
【請求項１３】
前記同期電動機は、インナーロータ型であること
を特徴とする請求項１に記載の同期電動機。
【請求項１４】
前記同期電動機は、永久磁石埋め込み型であること
を特徴とする請求項１に記載の同期電動機。
【請求項１５】
前記同期電動機は、自動車用であること
を特徴とする請求項１に記載の同期電動機。
【発明の詳細な説明】
【技術分野】
【０００１】
本発明は、二相交流により駆動される同期電動機の巻線構造に関し、特に、トルク特性を向上させる技術に関する。
【背景技術】
【０００２】
従来、種々の機器に、二相交流により駆動される二相モータが利用されている。【０００３】
特許文献１には、１８個のロータマグネットが周方向に等間隔で配置され、１２個のステータ突極が周方向に等間隔で配置された二相モータが開示されている。この構成では、ステータ突極の配置間隔は電気角で３π／２ラジアンとなる。各ステータ突極には、巻線が集中巻に巻回されており、ステータ突極の参照符号を周方向に並んだ順にＡ１、Ｂ１、Ａ２、Ｂ２、・・・Ａ６、Ｂ６とすると、Ａグループ（Ａ１、Ａ２、・・・Ａ６）の各巻線が接続されてＡ相巻線とされ、Ｂグループ（Ｂ１、Ｂ２、・・・Ｂ６）の各巻線が接続されてＢ相巻線とされて、各ステータ突極の巻線が全体として二相巻線構成になっている。この二相巻線には位相差がπ／２ラジアンの二相交流が供給される。【０００４】
二相交流が供給されると各巻線は励磁され、エアギャップ中に回転磁界が生じ、この回転磁界に同期してロータマグネットが吸引（反発）力を受けて、一定速度の同期回転数で回転し続ける。
【先行技術文献】
【特許文献】
【０００５】
【特許文献１】特開平９−１６３７１０号公報
【発明の概要】
【発明が解決しようとする課題】
【０００６】
コンプレッサ、電気自動車、ハイブリッド自動車、燃料電池自動車等に用いられる同期電動機には、小型軽量、高出力、低振動、低騒音、高効率の要請から、特に高トルクかつ低トルク脈動であることが求められる。【０００７】
しかしながら、従来の二相モータでは、次に示すようにトルク脈動が大きく、更なる改善が求められる。【０００８】
従来の二相モータでは、Ａグループの６個のステータ突極（固定子ティースに相当する）にはＡ相巻線のみが巻回されているので、Ａグループの各ステータ突極はπラジアンに相当する周期で６個同時に最大トルクを発生させる。また、Ｂグループの各ステータ突極は、Ａグループからπ／２ラジアンだけずれて、πラジアンに相当する周期で６個同時に最大トルクを発生させる。すなわち、二相交流の１周期にあたる２πラジアンにおいて、トルクのピークは４回発生することになる。そして、そのピークの大きさは６個のステータ突極の合成トルクとなるので、トルク脈動が大きなものとなる。【０００９】
そこで、本発明は、二相交流を受けて駆動する同期電動機において、従来よりもトルク脈動を低減することができる技術を提供することを目的とする。
【課題を解決するための手段】
【００１０】
本発明に係る同期電動機は、第一相および第二相の交流からなる二相交流により駆動される同期電動機であって、周方向に等間隔に配置された複数の磁極を含む回転子と、環状の固定子ヨークおよび当該固定子ヨークに周方向に間隔をあけて配置されたＮ（Ｎは４以上の整数）個の固定子ティースを含む固定子とを備え、前記固定子において、電気角で同じ位置にある固定子ティースがｎ（ｎは２以上の整数）個ずつ存在し、周方向に並んだｋ（ｋは２以上の整数）個の固定子ティース単位で回転対称になって、前記Ｎ個（Ｎは４以上の整数で、Ｎ＝ｋ・ｎ）の固定子ティースを構成しており、各固定子ティース単位において、ｋ個の固定子ティースのうちの一つを基準の固定子ティースとしたとき、残りの固定子ティースのうちの少なくとも一つは、前記基準の固定子ティースに対して電気角で前記二相交流の位相差の整数倍に相当する位置からずれた位置にあり、前記基準の固定子ティースには、前記第一相の交流が供給される第一の巻線および前記第二相の交流が供給される第二の巻線の何れか一方のみが集中巻に巻回され、前記ずれた位置にある固定子ティースには、前記第一相の交流が供給される第一の巻線および前記第二相の交流が供給される第二の巻線の両方がそれぞれ集中巻に巻回され、前記固定子ティース単位毎に、固定子ティースに巻回された第一の巻線が直列に接続され、前記固定子ティース単位と同じ、または、それとは異なる周方向に並んだｋ個の固定子ティース単位毎に、固定子ティースに巻回された第二の巻線が直列に接続されている。
【発明の効果】
【００１１】
上記構成によれば、少なくとも一つの固定子ティースは基準の固定子ティースに対して二相交流の位相差の整数倍に相当する位置からずれた位置に配され、この固定子ティースには、第一および第二の両方の巻線が巻回されている。これにより、ずれた位置にある固定子ティースが最大トルクを発生させるタイミングを基準の固定子ティースが最大トルクを発生させるタイミングからずらすことができる。したがって、二相交流の１周期におけるトルクのピークの回数を増加させてピークの発生タイミングを分散させると共に、このピークの大きさを低減することができ、その結果、従来よりもトルク脈動を低減することができる。
【図面の簡単な説明】
【００１２】
【図１】本発明の第１の実施形態に係る同期電動機の平面図
【図２】図１の同期電動機において巻線の種類および巻回方向を模式的に示す平面図
【図３】図１の同期電動機の詳細図
【図４】図１の同期電動機における巻線の接続関係を示す図
【図５】図１の同期電動機の各固定子ティースから生じる磁界の大きさおよび位相を示すベクトル図
【図６】従来の同期電動機の詳細図
【図７】トルクの時間変化を示す図
【図８】本発明の第２の実施形態に係る同期電動機において巻線の種類および巻回方向を示す平面図
【図９】図８の同期電動機の各固定子ティースから生じる磁界の大きさおよび位相を示すベクトル図
【図１０】巻線の接続関係の変形例を示す図
【発明を実施するための形態】
【００１３】
本発明を実施するための最良の形態を、図面を参照して詳細に説明する。
（第１の実施形態）
＜概略構成＞
図１は、本発明の第１の実施形態に係る同期電動機の平面図である。
【００１４】
同期電動機１は回転子２および固定子３から構成される。
【００１５】
回転子２は、回転子コア４および２０個の永久磁石５を含み、永久磁石５は回転子コア４に回転子の周方向に等間隔の角度に配置されている。永久磁石５によって構成される磁極６は、固定子３に対してＮ極、Ｓ極が交互に配置された磁極対を構成している。磁極対Ｎ極、Ｓ極は電気角で２πラジアンとなり、隣り合う磁極の配置間隔は電気角でπラジアンとなる。本実施形態では、回転子の磁極は２０極であり、機械角に対して電気角が１０倍の関係となっている。
【００１６】
固定子３は、環状の固定子ヨーク８および固定子ヨーク８に周方向に間隔をあけて配置されたＮ個の固定子ティース７を含む。Ｎは４以上の整数であればよく、本実施形態では、Ｎ＝１８である。また、固定子ティース７は固定子ヨーク８の周方向に等間隔の角度に配置されている。このように磁極の個数が２０であり固定子ティースの個数が１８であるため、固定子ティース７は円周に沿って半円あたり１０／９でずれて配置されており、隣り合う固定子ティース７の配置間隔は電気角で（π＋π／９）ラジアンとなっている。固定子ティース７には巻線９が巻回されている。
【００１７】
回転子磁極間１０，１１は、回転子２に配置された永久磁石５で構成された磁極Ｎと磁極Ｓとの間の磁気中立点の位置を意味する。ここでは、機械的にも磁石と磁石との間の位置となっている。反時計回転方向にみてＮ極からＳ極に変わる磁極間を１０、反時計回転方向にみてＳ極からＮ極に変わる磁極間を１１と示している。なお、１１’は、磁極間１１に対して、電気角２πラジアンで、磁極対の繰り返しのため電気角で同じ位置だが機械角で異なる位置の磁極間位置を示している。
＜固定子ティースの位置関係と固定子巻線の構成＞
図２は、図１の同期電動機において巻線の種類および巻回方向を模式的に示す平面図であり、図３は、図１の同期電動機の詳細図である。図４は、図１の同期電動機における巻線の接続関係を示す図であり、図５は、図１の同期電動機の各固定子ティースから生じる磁界の大きさおよび位相を示すベクトル図である。
【００１８】
まず、固定子ティースの位置関係について説明する。
【００１９】
１８個の固定子ティース７にはＨ１からＨ１８までの符号が付されている。固定子ティースＨ２の位置を電気角で０ラジアンの位置とすると、固定子ティースＨ３は電気角で（π＋π／９）ラジアン、すなわち１０π／９ラジアンの位置にあり、固定子ティースＨ４は電気角で（２π＋２π／９）ラジアン、すなわち２π／９ラジアンの位置にあり、固定子ティースＨ５は電気角で（３π＋３π／９）ラジアン、すなわち１２π／９ラジアンの位置にある。このように、固定子ティースＨ２を基準としたときの各固定子ティースの位置を表１に示す。
【００２０】
【表１】
2010050172.tif 000003
【００２１】
固定子ティースＨ１〜Ｈ１８には、電気角で同じ位置にある固定子ティースがｎ個ずつ存在している。ｎは２以上の整数であればよく、本実施形態では、表１から明らかなように、電気角で同じ位置にある固定子ティースが２個ずつある。例えば、固定子ティースＨ２，Ｈ１１の２個は電気角で同じ位置にある。これは、図２において、固定子ティースＨ２の中心軸が磁極間１０に一致するとき、固定子ティースＨ１１の中心軸が磁極間１０’に一致していることからも分かる。
【００２２】
また、固定子ティースＨ１〜Ｈ１８の位置関係は、周方向に並んだｋ個の固定子ティース単位で回転対称になっている。ｋは２以上の整数であればよく、本実施形態では、ｋ＝９である。例えば、図２において、反時計回転方向にＨ１６からＨ６までの９個の固定子ティースの組と、Ｈ７からＨ１５までの９個の固定子ティースの組とが、回転対称になっている。
【００２３】
すなわち、固定子３に含まれる固定子ティース７の個数Ｎは、Ｎ＝ｋ・ｎにより得られ、本実施形態では、ｎ＝２，ｋ＝９より、Ｎ＝１８である。
【００２４】
次に、固定子巻線の構成について説明する。各固定子ティースには、二相交流のＡ相の電流が供給される第一の巻線、および、Ａ相の電流に対してπ／２ラジアン遅れたＢ相の電流が供給される第二の巻線の一方または両方が一心巻、いわゆる集中巻に巻回されている。図２では、第一の巻線に電流が流れたときに固定子端面から見た電流の向きを黒い矢印で模式的に示している。また、同様に第二の巻線に電流が流れたときに固定子端面から見た電流の向きを白い矢印で模式的に示している。
【００２５】
先ず、電気角で２π／３ラジアンの関係にある（従来の３相電動機のＵ相、Ｖ相、Ｗ相に相当する）固定子ティースＨ２，Ｈ１７，Ｈ５の巻線の構成を説明する。
【００２６】
固定子ティースＨ２には、第一の巻線Ｃ２のみがＮ０ターン巻回されている（図２の黒矢印および図３参照）。これにより、固定子ティースＨ２が発生させる磁界の位相はＡ相電流の位相と同じになる（図５、Ｈ２参照）。
【００２７】
本実施形態では、固定子ティースＨ２の位置に対して電気角θｎラジアンの位置にある固定子ティースに第一の巻線がＡｎターン、第二の巻線がＢｎターン巻回されているとすると、ターン数Ａｎ，Ｂｎは以下の関係式を満たす。
【００２８】
Ａｎ≒Ｎ０×ｃｏｓ（θｎ）
Ｂｎ≒Ｎ０×ｓｉｎ（θｎ）
固定子ティースＨ１７は、固定子ティースＨ２に対して電気角で２π／３ラジアン進んだ位置にある。上記関係式により、固定子ティースＨ１７に巻回されている第一の巻線Ｃ１７のターン数Ａ１７、第二の巻線Ｄ１７のターン数Ｂ１７は、以下のようになる。
【００２９】
Ａ１７≒Ｎ０×ｃｏｓ（２π／３）＝Ｎ０×（−０．５０）
Ｂ１７≒Ｎ０×ｓｉｎ（２π／３）＝Ｎ０×０．８７
ここで、ターン数Ａ１７の値が負となるのは、通電時に、固定子ティースＨ１７に巻回された第一の巻線Ｃ１７と固定子ティースＨ２に巻回された第一の巻線Ｃ２とが逆向きの磁界を発生させることを意味する。本実施形態では、これらの巻回方向を逆向きにすることにより、互いに逆向きの磁界を発生させることとしており、図２では逆向きの矢印で示されている。なお、巻回方向を同じ向きにして、一方の巻線では巻き始め端子から巻き終わり端子に向けて電流が流れるように結線し、他方の巻線では巻き終り端子から巻き始め端子に向けて電流が流れるように結線することにしてもよい。
【００３０】
上記の式では、右辺と左辺とがほぼ等しいことを示す記号（≒）を用いているが、これは実際には完全に一致させることが困難な場合が多いためである。上記の記号は、右辺が小数になる場合にはその小数に近い整数を採用する程度の一致を含み、さらには、設計上誤差として無視できる程度の一致を含むこととする。
【００３１】
固定子ティースＨ１７が発生させる磁界は、Ａ相電流により生じる磁界とＢ相電流により生じる磁界との合成磁界となり、その位相は固定子ティースＨ２が発生させる磁界の位相に対して２π／３ラジアン遅れている（図５、Ｈ１７参照）。
【００３２】
一方、固定子ティースＨ５は、固定子ティースＨ２に対して電気角で２π／３ラジアン遅れた位置にある。上記関係式により、固定子ティースＨ５に巻回されている第一の巻線Ｃ５のターン数Ａ５、第二の巻線Ｄ５のターン数Ｂ５は、以下のようになる。
【００３３】
Ａ５≒Ｎ１０×ｃｏｓ（−２π／３）＝Ｎ０×（−０．５０）
Ｂ５≒Ｎ１０×ｓｉｎ（−２π／３）＝Ｎ０×（−０．８７）
固定子ティースＨ５が発生させる磁界は、Ａ相電流により生じる磁界とＢ相電流により生じる磁界との合成磁界となり、その位相は固定子ティースＨ２が発生させる磁界の位相に対して２π／３ラジアン進んでいる（図５、Ｈ５参照）。
【００３４】
このように、第一の巻線と第二の巻線に位相差がπ／２ラジアンである二相交流を通電することで、固定子ティースＨ２，Ｈ１７，Ｈ５では、位相差が２π／３ラジアンの三相交流を流した場合と等価の磁界を発生していることがわかる。
【００３５】
以下、同様に、固定子ティースＨ２と隣接した固定子ティースＨ１，Ｈ３の巻線の構成と固定子ティースに生じる磁界を説明する。
【００３６】
図３に示すように、反時計回転方向を＋方向とすると、固定子ティースＨ１は、固定子ティースＨ２からみて電気角でπラジアンずれた位置からπ／９ラジアン遅れた位置に配置されており、固定子ティースＨ３は、固定子ティースＨ２からみて電気角でπラジアンずれた位置からπ／９ラジアン進んだ位置に配置されている。
【００３７】
固定子ティースＨ２と隣接した固定子ティースＨ１では、第一の巻線Ｃ１がＡ１≒Ｎ０×ｃｏｓ（−π−π／９）＝Ｎ０×（−０．９４）ターン、第二の巻線Ｄ１がＢ１≒Ｎ０×ｓｉｎ（−π−π／９）＝Ｎ０×０．３４ターン巻回されている。第一の巻線Ｃ１のターン数Ａ１が負の値であることは、固定子ティースＨ２に巻回された第一の巻線Ｃ２とは逆向きに巻回されていることを示している。固定子ティースＨ１が発生させる磁界は、Ａ相電流により生じる磁界とＢ相電流により生じる磁界との合成磁界となり、その位相はＡ相を反転させた−Ａ相に対してπ／９ラジアン進んでいる（図５、Ｈ１参照）。
【００３８】
固定子ティースＨ２に隣接した固定子ティースＨ３では、第一の巻線Ｃ３がＡ３＝Ｎ０×ｃｏｓ（π＋π／９）＝Ｎ０×（−０．９４）ターン、第二の巻線Ｄ３がＢ３＝Ｎ１０×ＳＩＮ（π＋π／９）＝Ｎ０×（−０．３４）ターン巻回されている。第一の巻線Ｃ３のターン数が負の値であることは、固定子ティースＨ２に巻回された第一の巻線Ｃ２とは逆向きに巻回されていることを示している。固定子ティースＨ３が発生させる磁界は、Ａ相電流により生じる磁界とＢ相電流により生じる磁界との合成磁界となり、その位相はＡ相を反転させた−Ａ相に対してπ／９ラジアン遅れている（図５、Ｈ３参照）。
【００３９】
このように、本実施形態では、各相の固定子巻線が上記構成をもつため、ひとつの固定子ティースに巻回されたそれぞれの巻線に、それぞれ異なる相の電流が供給されると、当該固定子ティースに生じる磁界は、それぞれの巻線に基づく磁界をベクトル合成したものとなる。
【００４０】
固定子ティースＨ２に巻回される第一の巻線Ｃ２のターン数を１．００としたときの各固定子ティースに巻回される第一および第二の巻線のターン数の比率を表２に示す。
【００４１】
【表２】
2010050172.tif 000004
【００４２】
第一の巻線のターン数の比率がＡ、第二の巻線のターン数の比率がＢ、両者の合計がΣで示されている。なお、巻線の巻回方向を考慮して±で表示している。
【００４３】
固定子ティースＨ２（Ｈ１１）の第一の巻線のターン数の比率Ａは１．００である。固定子ティースＨ２，Ｈ１１は電気角で同じ位置にあるので巻線の構成が同じになる。
【００４４】
固定子ティースＨ３（Ｈ１２）の第一の巻線のターン数の比率Ａは−０．９４である。これは、通電時における磁界の向きが固定子ティースＨ２（Ｈ１１）とは逆向きであることを示すと共に、ターン数の比率が０．９４であることを示している。また、第二の巻線のターン数の比率Ｂは−０．３４である。これは、Ａの通電方向と同じ向きに電流を流した場合に逆方向の磁界を生じることを示すと共に、ターン数の比率が０．３４であることを示している。この固定子ティースＨ３（Ｈ１２）の総ターン数の比率は１．２８に相当する。
【００４５】
固定子ティースＨ４（Ｈ１３）の総ターン数の比率は、１．４１であり、固定子ティースＨ１からＨ１８までの中で最大となる。総ターン数の比率は、１．００から１．４１の範囲で変化している。
【００４６】
各固定子ティースに巻回された巻線の接続関係は、図４に示す通りである。
【００４７】
周方向に並ぶ９個の固定子ティース単位毎に、第一の巻線が直列に接続されている。具体的には、反時計回転方向に並ぶＨ１６からＨ６までの９個の固定子ティースにそれぞれ巻回された第一の巻線Ｃ１６〜Ｃ６が直列に接続され、Ｈ７からＨ１５までの９個の固定子ティースにそれぞれ巻回された第一の巻線Ｃ７〜Ｃ１５が直列に接続されている。そして、それらの組が並列に接続されて外部端子Ｔ１，Ｔ２に接続されている。
【００４８】
また、同じ固定子ティース単位毎に、第二の巻線が直列に接続されている。具体的には、Ｈ１６からＨ６までの９個の固定子ティースにそれぞれ巻回された第二の巻線Ｄ１６〜Ｄ６が直列に接続され、Ｈ７からＨ１５までの９個の固定子ティースにそれぞれ巻回された第二の巻線Ｄ７〜Ｄ１５が直列に接続されている。そして、それらの組が並列に接続されて外部端子Ｔ３，Ｔ４に接続されている。
【００４９】
以上の構成を採用することで次のような効果を得ることができる。
【００５０】
固定子ティースは、電気角で（π＋π／９）ラジアンの間隔で等間隔に配置されており、各固定子ティースが発生させる磁界の位相が（π＋π／９）ラジアンずつずれるように、各固定子ティースに巻回された第一および第２の巻線のターン数が設定されている。したがって、各固定子ティースが最適なタイミングで最大トルクを発生させることができるので全体のトルクを高めることができる。その上、各固定子ティースが最大トルクを発生させるタイミングが分散されるので、従来よりもトルク脈動を低減することができる。
【００５１】
例えば、図３に示すように、固定子ティースＨ２からみて固定子ティースＨ１は、電気角でπラジアンずれた位置からπ／９ラジアン遅れた位置にある。このような位置関係にある固定子ティースＨ１には、図５に示すように磁界Ｈ２を反転した位相（πラジアンずれた位相）からπ／９ラジアンだけ進んだ位相の磁界Ｈ１が生じる。したがって、固定子ティースＨ１の軸と回転子の磁極間１１とが一致したときに固定子ティースＨ１に最大の磁界を生じさせると共に、固定子ティースＨ２の軸と回転子の磁極間１０とが一致したときに固定子ティースＨ２に最大の磁界を生じさせることができる。
【００５２】
また、図３に示すように、固定子ティースＨ２からみて固定子ティースＨ３は、電気角でπラジアンずれた位置からπ／９ラジアン進んだ位置にある。このような位置関係にある固定子ティースＨ３には、図５に示すように磁界Ｈ２を反転した位相（πラジアンずれた位相）からπ／９ラジアンだけ遅れた磁界Ｈ３が生じる。したがって、固定子ティースＨ２の軸と回転子の磁極間１０とが一致したときに固定子ティースＨ２に最大の磁界を生じさせると共に、固定子ティースＨ３の軸と回転子の磁極間１１’とが一致したときに固定子ティースＨ３に最大の磁界を生じさせることができる。
【００５３】
このように、各固定子ティースに巻回されている第一および第二の巻線のターン数は、基準の固定子ティースからみたときの電気角での位置のずれを打ち消すように設定されている。そうすることで固定子ティースの軸と回転子の磁極間とが一致したときに、その固定子ティースに生じる磁界が最大となるので、各固定子ティースが生み出すマグネットトルクを最大とすることができ、全体のトルクを向上させることができる。また、各固定子ティースから生み出されるトルクがほぼ一定となるので、トルク脈動を低減させることができる。
【００５４】
本実施形態は、第一および第二の巻線のうち１種類のみしか巻回されていない固定子ティースを少なくとも一つ有する構成である。このような構成のメリットとして以下のことが挙げられる。
【００５５】
第１に、通電電流の位相を効率よく利用できるので、巻線が高占積率で小型化に有利である。第２に、固定子ティースに巻回されている巻線が１種類であれば、相間絶縁が不要となり、信頼性が向上する。第３に、相間絶縁のための絶縁材のスペースが不要となり、その分を巻線に利用できるので高占積率で小型化に有利である。
＜トルクの比較＞
次に、本実施形態の同期電動機から得られるトルクと、従来の同期電動機から得られるトルクとを比較する。図６は、従来の同期電動機の詳細図である。従来の同期電動機４１は、２種類の巻線（第一の巻線をＡ相、第二の巻線をＢ相）で構成された、いわゆる二相モータである。同期電動機４１は、永久磁石４５を含む回転子４２と固定子ティース４７を含む固定子４３からなる。
【００５６】
固定子ティース４７の４個が、＋Ａ相、＋Ｂ相、−Ａ相、−Ｂ相として、回転子の二つの磁極ＮＳ（２πラジアン）に対向している。固定子ティース４７の周方向の間隔は電気角でπ／２ラジアンであり等間隔である。各固定子ティース４７には、２種類の巻線のうちの一方のみが集中巻に巻回されている。
【００５７】
この従来形態の極数は本実施形態と同じであり、永久磁石４５が２０個用いられた２０極である。一方、従来形態の固定子ティース４７の個数は集中巻に必要な４０個となる。磁極ＮＳの２種類の回転子磁極に対して、固定子ティースの巻線は＋Ａ、＋Ｂ、−Ａ、−Ｂの４種類であるので、通電電流の１周期にあたる１電気角において４個のトルク脈動が生じる。また、無通電時のトルク脈動であるコギングトルクも１回転当り４０個となり滑らかな回転を得ることは困難である。
【００５８】
図７は、トルクの時間変化を示す図である。
【００５９】
本実施形態の同期電動機から得られるトルク波形をＴ１で示し、従来の同期電動機から得られるトルク波形をＴ０で示す。両者は、１磁極対に対向する固定子巻線の巻数と通電する電流の積を同じとして比較した。これによると、トルクの大きさについては、本実施形態では従来に比べて１４０％高めることができた。また、平均トルクに対するトルク脈動の比であるトルク脈動率については、本実施形態では従来例の１２０％に比べて５．３％にまで大幅に低減させることができた。このように本実施形態によれば、従来トレードオフの関係と考えられていた高トルク化とトルク脈動の低減とを両立させることができた。
＜補足説明＞
本実施形態の同期電動機では、回転子磁極の間隔が機械角１８ｄｅｇ（電気角πラジアン）であるのに対し、固定子ティースの間隔は機械角１８ｄｅｇからずれた機械角２０ｄｅｇとしている。このように機械的な位相差をもたせることにより、無通電時のトルク脈動であるコギングトルクを低減することができる。
【００６０】
また、本実施形態の同期電動機では、固定子ティースは電気角πラジアンに対して各々π／９ラジアンの位相差をもつ配置となっており、各固定子ティースに生じる磁界には、π／２ラジアンの位相差を持つ２種類の巻線の巻数比を変えて固定子ティースに巻回することで、π／９ラジアンの位相差をもたせている。そのため、各々の固定子ティースから得られるトルクを同じにすることができるのでπ／３ラジアンを基本周期とするトルク脈動を打ち消すことができ、かつ、各々の固定子ティースから得られるトルクを最大にすることができるので全体のトルクを高めることができる。
【００６１】
なお、上述の説明では、永久磁石によるマグネットトルクのみを考慮していたので、固定子ティースの軸と回転子の磁極間とが一致したときに、その固定子ティースに生じる磁界の大きさが最大となるように磁界の位相を調整している。しかしながら、本実施形態の同期電動機は、回転子コア内部に永久磁石を配置した、いわゆる磁石埋込み型同期電動機であり、磁石によるマグネットトルクに加えて、磁気抵抗の差によるリラクタンストルクを利用することができる同期電動機である。そのため、マグネットトルクとリラクタンストルクの両者を生かして最大トルクを得るために、固定子ティースの軸と回転子の磁極間とがずれた位置関係で固定子ティースに生じる磁界の大きさが最大となるように磁界の位相を調整することが有効な場合がある。
【００６２】
また、本実施形態では、固定子ティースに固定子巻線を巻回するのに集中巻を採用している。そのため、固定子の端面の巻線いわゆるコイルエンドの小型化が図れ、同期電動機の小型化ができる。また、巻線のコイルエンドは、電流を流してもトルクに寄与しない部分であり、通電時の巻線抵抗によるジュール損である銅損を低下することができ高効率である。
【００６３】
また、本実施形態では、回転子が固定子の外周側に配置された、いわゆるアウターロータ型を採用している。そのため、同じ体積で比較した場合、回転子が固定子の内周側に配置されたインナーロータ型に比べて、回転子径を大きくすることができる。したがって、本実施形態のような極数が２０となるような同期電動機でも、永久磁石の大きさを小さくする必要がないので有効磁束の低下を防ぐことができる。
【００６４】
また、本実施形態では、回転子磁極の数が２０個、固定子ティースの数が１８個の同期電動機であるが、固定子ティースが９個や２７個といった９の倍数に対して、回転子の磁極数が１０の倍数の組み合わせ、すなわち１０ｑ極９ｑティース（ｑは正の整数）の組み合わせであれば、電気角で上記の関係が成立する配置関係とすることで、同様の効果が得られる。
【００６５】
また、本実施形態では、１８個の固定子ティースには電気角で同じ位置にある固定子ティースが２個ずつ存在し、かつ、それらの位置関係が周方向に並んだ９個の固定子ティース単位で回転対称になっている。したがって、固定子ティースによるラジアル方向の合成吸引力が０となり、回転子に磁気吸引力が作用しない。したがって、軸受寿命に悪影響を与えることがなくなり、長寿命の同期電動機が得られる。同様に３０極２７ティースでは、９個の固定子ティースで構成された組み合わせが３組、軸に対して機械角で１２０ｄｅｇごとの配置となるため、巻線に通電した固定子ティースによるラジアル方向の合成吸引力が０となり、回転子に磁気吸引力が作用しない。
【００６６】
また、固定子ティースおよび回転子の磁極のいずれか、または両者を回転軸方向で旋回した構成とすることで、磁束変化がより滑らかになり、さらなる低振動な同期電動機とすることができる。
【００６７】
また、固定子の磁性材を圧粉鉄心材や、薄板の磁性材や、アモルファス磁性材を用いることで鉄損を大幅に低減することができ、より高効率な同期電動機とすることができる。
【００６８】
また、１極を構成する永久磁石を複数個で構成することにより永久磁石に発生する渦電流損を低減でき、より高効率な同期電動機とすることができる。
【００６９】
また、巻線の複数の細い径の巻線や、扁平な平角線とすることで巻線の表面積を拡大し、高周波駆動時の表皮効果を低減して高効率な同期電動機とすることができる。
【００７０】
本実施形態では、図５の磁界の大きさおよび位相を示すベクトル図で明らかなように、入力される電流は第一相の電流（ベクトルＡ）と第二相の電流（ベクトルＢ）であるが、固定子ティースには、両者の巻線のターン数の比で合成したＨ１からＨ９（Ｈ１０からＨ１８）の９種類の位相を作り出すことができる。したがって、通常の２相電動機のπ／２ラジアンに対して、２π／９ラジアンの位相差で駆動することができるので、２倍以上滑らかな駆動が可能である。
【００７１】
以上、本実施形態によれば、トルクを向上させてトルク脈動を低減することができ、小型、高出力、低振動、低騒音、高効率な同期電動機を提供することができる。
（第２の実施形態）
第２の実施形態は、固定子ティースの配置角度と巻線の構成が第１の実施形態と異なる。これ以外の構成については第１の実施形態と同様なので説明を省略する。
【００７２】
図８は、本発明の第２の実施形態に係る同期電動機において巻線の種類および巻回方向を示す平面図であり、図９は、図８の同期電動機の各固定子ティースから生じる磁界の大きさおよび位相を示すベクトル図である。
【００７３】
第１の実施形態との差異は、同期電動機２１において、固定子ティースの配置が等間隔ではないこと、第一および第二の巻線のターン数の比率が異なることである。固定子ティースの配置を等間隔からずらした場合、第一および第二の巻線のターン数が等間隔の配置を前提として決められた値のままにすると、その固定子ティースから生じる磁界の位相が最適な位相からずれてしまう。そこで、等間隔の配置からずれた分だけ第一および第二のターン数を補正し、固定子ティースから生じる磁界に位相を最適に設定するものである。
＜固定子ティースの位置関係と固定子巻線の構成＞
第１の実施形態では固定子ティースの配置角度は２０ｄｅｇ（機械角）で等間隔であった。図８に、２０ｄｅｇの等間隔ではない固定子ティースをＨ４Ａ、Ｈ９Ａ、Ｈ１３Ａ、Ｈ１８Ａと、Ｈ６Ａ、Ｈ７Ａ、Ｈ１５Ａ、Ｈ１６Ａで示した。
【００７４】
固定子ティースＨ４ＡはＨ３に対して、Ｈ９ＡはＨ１０に対して、Ｈ１３ＡはＨ１２に対して、Ｈ１８ＡはＨ１に対して１９ｄｅｇの間隔に配置され、第１の実施形態に対して１ｄｅｇ（電気角で１０ｄｅｇ、π／１８ラジアン）ずれている。
【００７５】
また、固定子ティースＨ６ＡはＨ５に対して、Ｈ７ＡはＨ８に対して、Ｈ１５ＡはＨ１４に対して、Ｈ１６ＡはＨ１７に対して２１ｄｅｇの間隔に配置され、第１の実施形態に対して１ｄｅｇ（電気角で１０ｄｅｇ、π／１８ラジアン）ずれている。よって、Ｈ６ＡとＨ７Ａは電気角でπラジアン間隔の配置となり、Ｈ１５ＡとＨ１６Ａも電気角でπラジアン間隔の配置となる。
【００７６】
本実施形態では、固定子ティースを等間隔とした場合の位置から電気角で±π／９ラジアンの範囲内で固定子ティースの位置をずらしてある。固定子ティースＨ２を基準としたときの各固定子ティースの位置を表３に示す。
【００７７】
【表３】
2010050172.tif 000005
【００７８】
これによれば、１８個の固定子ティースが不等間隔であるものの、電気角で同じ位置にある固定子ティースが２個ずつ存在し、かつ、周方向に並んだ９個の固定子ティース単位で回転対称であることが分かる。
【００７９】
次に、固定子巻線の構成について説明する。
【００８０】
固定子ティースには、第一および第二の巻線の両方または一方がいわゆる集中巻で巻回されている。図８では、第一の巻線に通電した場合に電流の流れる方向を黒い矢印で模式的に示している。また、同様に第二の巻線に通電した場合に電流の流れる方向を白い矢印で模式的に示している。
【００８１】
固定子ティースに巻回された第一および第二の巻線のターン数の比率を表４に示す。
【００８２】
【表４】
2010050172.tif 000006
【００８３】
第２の実施形態では、Ｈ４Ａ（Ｈ１３Ａ）、Ｈ６Ａ（Ｈ１５Ａ）、Ｈ７Ａ（Ｈ１６Ａ）、Ｈ９Ａ（Ｈ１８Ａ）の配置を等間隔からずらし、その分だけターン数の比率を補正している。なお、第一および第二の巻線のターン数が以下の関係式から得られること自体は、第１の実施形態と同様である。
【００８４】
Ａｎ≒Ｎ０×ｃｏｓ（θｎ）
Ｂｎ≒Ｎ０×ｓｉｎ（θｎ）
例えば、Ｈ６Ａ（Ｈ１５Ａ）、Ｈ７Ａ（Ｈ１６Ａ）では、第二の巻線２９ｂのみが巻回されていて、これらの固定子ティースの総ターン数の比率は１である。これにより、第１の実施形態のＨ６（Ｈ１５）、Ｈ７（Ｈ１６）の総ターン数の比率１．１６に比べて少ないターン数とすることができる。
【００８５】
また、固定子ティースＨ４Ａ（Ｈ１３Ａ）、Ｈ９Ａ（Ｈ１８Ａ）では、等間隔の場合に対して配置位置が電気角でπ／１８ラジアン（１０ｄｅｇ）だけずれているので、第一の巻線のターン数の比率を０．８７、第二の巻線のターン数の比率を０．５０、総ターン数の比率を１．３７としている。これにより、第１の実施形態のＨ４（Ｈ１３）、Ｈ９（Ｈ１８）の総ターン数の比率１．４１に比べて少ないターン数とすることができる。
【００８６】
このように、本実施形態では、総ターン数の比率を小さくすることにより巻線積占率を増加させることができ、第１の実施形態と同等の効果を得、かつ、さらなる小型化に優位である。
【００８７】
また、本実施形態では、第１の実施形態に比べて第一および第二の巻線の一方のみしか巻回しない固定子ティースの個数を増やすことができる。これにより、製造コストの削減を図ることができる。
【００８８】
本実施形態では、図９の磁界の大きさおよび位相を示すベクトル図で明らかなように、入力される電流は第一相の電流（ベクトルＡ）と第二相の電流（ベクトルＢ）であるが、固定子ティースには、両者の巻線のターン数の比で合成したＨ１からＨ９Ａ（Ｈ１０からＨ１８Ａ）の９種類の位相を作り出すことができ、通常の２相電動機のπ／２ラジアンに対して、π／６ラジアンと２π／９ラジアンとπ／３ラジアンの位相差で駆動することができるので、１．５倍から２倍程度滑らかな駆動が可能である。
【００８９】
また、本実施形態では、僅かな固定子ティースの配置変更と巻線比の変更により、９種類の位相差を等間隔から変更することができる特徴を有する。このことから、任意の位相差の組み合わせを実現することが示唆でき、電動機を搭載される機器によって避け難い共振が発生した場合に容易に共振を避けることができる。
【００９０】
上記構成により、固定子ティースの電気角での配置間隔を二相交流の位相差の整数倍に相当する位置からずらすことでトルク脈動を低減することが可能である。すなわち、無通電時のコギングトルクの次数を高くすることができ、コギングトルクの値を小さくできる。
【００９１】
さらに、二相交流の位相差の整数倍に相当する位置からずらして配置した固定子ティースには、第一および第二の巻線の両方を、ずらした分を補正する巻線比率で巻回することで、通電時には、固定子ティースから発生させるトルクを大きくすることができ、トルクを低減することなく、トルク脈動を低減することが可能である。
【００９２】
以上、本発明に係る同期電動機について、実施形態に基づいて説明したが、本発明はこれらの実施形態に限られない。例えば、以下のような変形例が考えられる。
（１）実施形態では、ある固定子ティースを基準としたとき、残りの固定子ティースのうち全部または大部分の固定子ティースは電気角による角度で二相交流の位相差（π／２ラジアン）の整数倍に相当する位置からずれた位置に配置されている。しかしながら、本発明はこれに限らず、残りの固定子ティースのうちの一つでもずれた位置関係にあることとすることにより、従来よりもトルク脈動を低減することができる。
（２）実施形態では、二相交流の位相差をπ／２ラジアンとしているが、本発明は、これに限られない。二相交流の位相差を任意のφラジアンとした場合には、各固定子ティースの第一および第二の巻線のターン数は以下の関係式により得ることができる。
【００９３】
Ａｎ＝Ｎ０×｛ｃｏｓ（θｎ）−ｓｉｎ（θｎ）／ｔａｎ（φ）｝
Ｂｎ＝Ｎ０×｛ｓｉｎ（θｎ）／ｓｉｎ（φ）｝
（３）実施形態では、図４に示すように、固定子ティース単位毎に第一の巻線が直列に接続され、それと同じ固定子ティース単位毎に第二の巻線が直列に接続されている。すなわち、第一の巻線を直列に接続する固定子ティース単位と第二の巻線を直列に接続する固定子ティース単位とが同じである。しかしながら、本発明は、周方向に並ぶｋ個（本実施形態ではｋ＝９）の固定子ティース単位毎に直列に接続しさえすれば、第一の巻線を直列に接続する固定子ティース単位と第二の巻線を直列に接続する固定子ティース単位とが異なっていても構わない。そのような例を図１０（ａ）に示す。図１０（ａ）では、第一の巻線については、周方向に並んだＨ１６からＨ６までの９個の固定子ティースとＨ７からＨ１５までの９個の固定子ティースとで直列接続される単位が分かれている。これに対し、第二の巻線については、周方向に並んだＨ２からＨ１０までの９個の固定子ティースとＨ１１からＨ１までの９個の固定子ティースとで直列接続される単位が分かれている。
（４）実施形態では、図４に示すように、第一の巻線Ｃ１６〜Ｃ６の組とＣ７〜Ｃ１５の組とが並列に接続されていると共に、第二の巻線Ｄ１６〜Ｄ６の組とＤ７〜Ｄ１５の組とが並列に接続されているが、本発明は、これに限らない。例えば、図１０（ｂ）に示すように、第一の巻線Ｃ１６〜Ｃ６の組とＣ７〜Ｃ１５の組とが直列に接続されると共に、第二の巻線Ｄ１６〜Ｄ６の組とＤ７〜Ｄ１５の組とが直列に接続されることとしてもよい。
（５）本実施形態では、固定子ティースの個数が１８、磁極の個数が２０の例で説明しているが、本発明はこれに限られない。固定子ティースの個数が４以上であり、磁極の個数が固定子ティースの個数と異なる偶数個であれば、本発明を適用することができる。
（６）実施形態では、１０ｑ極９ｑティースの構成を挙げているが、本発明はこれに限らない磁極とティース数の組み合わせが可能である。例えば、８ｑ極９ｑティース、１０ｑ極１２ｑティース（ｑは正の整数）、１６ｑ極１５ｑティースの構成でも構わない。
（７）実施形態では２相駆動で、３相駆動と等価の同期電動機を例示しているが、本発明は、２相駆動で、例えば５相や７相など多相駆動と等価の同期電動機にも適用可能である。
（８）実施形態では固定子巻線は固定子ティースに巻回されているが、本発明はこれに限らず、固定子ティースのない、いわゆるコアレスモータにも適用可能である。
（９）実施形態では特に挙げていないが、固定子巻線が回転子の軸方向に進むほど周方向に最大で固定子巻線の配置間隔だけずれていくスキュー配置を施すこととしてもよい。
（１０）実施形態では、回転子が固定子の外側に配置されたアウターロータ型の同期電動機で説明しているが、回転子を固定子の内側に配置したインナーロータ型の同期電動機や、回転子と固定子とが軸方向に空隙を持って配置された、いわゆる面対向のアキシャルギャップ式同期電動機や、それらを複数組み合わせた構造の同期電動機でも同じ効果があることは言うまでもない。
（１１）実施形態では、回転子の磁極を永久磁石により構成したが、磁気抵抗の差で構成したリラクタンストルクを利用した同期電動機、回転子に両者を組み合わせた同期電動機でも適用可能である。
（１２）本発明は、同期回転機に限らず、同期発電機、また、直動駆動されるリニア同期電動機、リニア同期発電機にも適用できる。
（１３）本発明は、小型、高出力、低振動、低騒音、高効率な同期電動機を提供することができ、低振動、低騒音性が要求される自動車用途に特に有用である。
【産業上の利用可能性】
【００９４】
本発明は、小型高効率で低振動低騒音性が要求される、コンプレッサ用、電気自動車、ハイブリッド自動車、燃料電池自動車等の同期電動機に利用可能である。
【符号の説明】
【００９５】
１、２１、４１    同期電動機
２、４２    回転子
３、４３    固定子
４    回転子コア
５、４５    永久磁石
６    磁極
７、４７    固定子ティース
８    固定子ヨーク
９    巻線
１０、１１  回転子磁極間
【図１】
2010050172.tif 000007
【図２】
2010050172.tif 000008
【図３】
2010050172.tif 000009
【図４】
2010050172.tif 000010
【図５】
2010050172.tif 000011
【図６】
2010050172.tif 000012
【図７】
2010050172.tif 000013
【図８】
2010050172.tif 000014
【図９】
2010050172.tif 000015
【図１０】
2010050172.tif 000016
【手続補正書】
【提出日】平成22年6月4日(2010.6.4)
【手続補正１】
【補正対象書類名】明細書
【補正対象項目名】全文
【補正方法】変更
【補正の内容】
【発明の詳細な説明】
【技術分野】
【０００１】
本発明は、二相交流により駆動される同期電動機の巻線構造に関し、特に、トルク特性を向上させる技術に関する。
【背景技術】
【０００２】
従来、種々の機器に、二相交流により駆動される二相モータが利用されている。
特許文献１には、１８個のロータマグネットが周方向に等間隔で配置され、１２個のステータ突極が周方向に等間隔で配置された二相モータが開示されている。この構成では、ステータ突極の配置間隔は電気角で３π／２ラジアンとなる。各ステータ突極には、巻線が集中巻に巻回されており、ステータ突極の参照符号を周方向に並んだ順にＡ１、Ｂ１、Ａ２、Ｂ２、・・・Ａ６、Ｂ６とすると、Ａグループ（Ａ１、Ａ２、・・・Ａ６）の各巻線が接続されてＡ相巻線とされ、Ｂグループ（Ｂ１、Ｂ２、・・・Ｂ６）の各巻線が接続されてＢ相巻線とされて、各ステータ突極の巻線が全体として二相巻線構成になっている。この二相巻線には位相差がπ／２ラジアンの二相交流が供給される。
【０００３】
二相交流が供給されると各巻線は励磁され、エアギャップ中に回転磁界が生じ、この回転磁界に同期してロータマグネットが吸引（反発）力を受けて、一定速度の同期回転数で回転し続ける。
【先行技術文献】
【特許文献】
【０００４】
【特許文献１】特開平９−１６３７１０号公報
【発明の概要】
【発明が解決しようとする課題】
【０００５】
コンプレッサ、電気自動車、ハイブリッド自動車、燃料電池自動車等に用いられる同期電動機には、小型軽量、高出力、低振動、低騒音、高効率の要請から、特に高トルクかつ低トルク脈動であることが求められる。
【０００６】
しかしながら、従来の二相モータでは、次に示すようにトルク脈動が大きく、更なる改善が求められる。
従来の二相モータでは、Ａグループの６個のステータ突極（固定子ティースに相当する）にはＡ相巻線のみが巻回されているので、Ａグループの各ステータ突極はπラジアンに相当する周期で６個同時に最大トルクを発生させる。また、Ｂグループの各ステータ突極は、Ａグループからπ／２ラジアンだけずれて、πラジアンに相当する周期で６個同時に最大トルクを発生させる。すなわち、二相交流の１周期にあたる２πラジアンにおいて、トルクのピークは４回発生することになる。そして、そのピークの大きさは６個のステータ突極の合成トルクとなるので、トルク脈動が大きなものとなる。
【０００７】
そこで、本発明は、二相交流を受けて駆動する同期電動機において、従来よりもトルク脈動を低減することができる技術を提供することを目的とする。
【課題を解決するための手段】
【０００８】
本発明に係る同期電動機は、第一相および第二相の交流からなる二相交流により駆動される同期電動機であって、周方向に等間隔に配置された複数の磁極を含む回転子と、環状の固定子ヨークおよび当該固定子ヨークに周方向に間隔をあけて配置されたＮ（Ｎは４以上の整数）個の固定子ティースを含む固定子とを備え、前記固定子において、電気角で同じ位置にある固定子ティースがｎ（ｎは２以上の整数）個ずつ存在し、周方向に並んだｋ（ｋは２以上の整数）個の固定子ティース単位で回転対称になって、前記Ｎ個（Ｎは４以上の整数で、Ｎ＝ｋ・ｎ）の固定子ティースを構成しており、各固定子ティース単位において、ｋ個の固定子ティースのうちの一つを基準の固定子ティースとしたとき、残りの固定子ティースのうちの少なくとも一つは、前記基準の固定子ティースに対して電気角で前記二相交流の位相差の整数倍に相当する位置からずれた位置にあり、前記基準の固定子ティースには、前記第一相の交流が供給される第一の巻線および前記第二相の交流が供給される第二の巻線の何れか一方のみが集中巻に巻回され、前記ずれた位置にある固定子ティースには、前記第一相の交流が供給される第一の巻線および前記第二相の交流が供給される第二の巻線の両方がそれぞれ集中巻に巻回され、前記固定子ティース単位毎に、固定子ティースに巻回された第一の巻線が直列に接続され、前記固定子ティース単位と同じ、または、それとは異なる周方向に並んだｋ個の固定子ティース単位毎に、固定子ティースに巻回された第二の巻線が直列に接続されている。
【発明の効果】
【０００９】
上記構成によれば、少なくとも一つの固定子ティースは基準の固定子ティースに対して二相交流の位相差の整数倍に相当する位置からずれた位置に配され、この固定子ティースには、第一および第二の両方の巻線が巻回されている。これにより、ずれた位置にある固定子ティースが最大トルクを発生させるタイミングを基準の固定子ティースが最大トルクを発生させるタイミングからずらすことができる。したがって、二相交流の１周期におけるトルクのピークの回数を増加させてピークの発生タイミングを分散させると共に、このピークの大きさを低減することができ、その結果、従来よりもトルク脈動を低減することができる。
【図面の簡単な説明】
【００１０】
【図１】本発明の第１の実施形態に係る同期電動機の平面図
【図２】図１の同期電動機において巻線の種類および巻回方向を模式的に示す平面図
【図３】図１の同期電動機の詳細図
【図４】図１の同期電動機における巻線の接続関係を示す図
【図５】図１の同期電動機の各固定子ティースから生じる磁界の大きさおよび位相を示すベクトル図
【図６】従来の同期電動機の詳細図
【図７】トルクの時間変化を示す図
【図８】本発明の第２の実施形態に係る同期電動機において巻線の種類および巻回方向を示す平面図
【図９】図８の同期電動機の各固定子ティースから生じる磁界の大きさおよび位相を示すベクトル図
【図１０】巻線の接続関係の変形例を示す図
【発明を実施するための形態】
【００１１】
本発明を実施するための最良の形態を、図面を参照して詳細に説明する。
（第１の実施形態）
＜概略構成＞
図１は、本発明の第１の実施形態に係る同期電動機の平面図である。
【００１２】
同期電動機１は回転子２および固定子３から構成される。
回転子２は、回転子コア４および２０個の永久磁石５を含み、永久磁石５は回転子コア４に回転子の周方向に等間隔の角度に配置されている。永久磁石５によって構成される磁極６は、固定子３に対してＮ極、Ｓ極が交互に配置された磁極対を構成している。磁極対Ｎ極、Ｓ極は電気角で２πラジアンとなり、隣り合う磁極の配置間隔は電気角でπラジアンとなる。本実施形態では、回転子の磁極は２０極であり、機械角に対して電気角が１０倍の関係となっている。
【００１３】
固定子３は、環状の固定子ヨーク８および固定子ヨーク８に周方向に間隔をあけて配置されたＮ個の固定子ティース７を含む。Ｎは４以上の整数であればよく、本実施形態では、Ｎ＝１８である。また、固定子ティース７は固定子ヨーク８の周方向に等間隔の角度に配置されている。このように磁極の個数が２０であり固定子ティースの個数が１８であるため、固定子ティース７は円周に沿って半円あたり１０／９でずれて配置されており、隣り合う固定子ティース７の配置間隔は電気角で（π＋π／９）ラジアンとなっている。固定子ティース７には巻線９が巻回されている。
【００１４】
回転子磁極間１０，１１は、回転子２に配置された永久磁石５で構成された磁極Ｎと磁極Ｓとの間の磁気中立点の位置を意味する。ここでは、機械的にも磁石と磁石との間の位置となっている。反時計回転方向にみてＮ極からＳ極に変わる磁極間を１０、反時計回転方向にみてＳ極からＮ極に変わる磁極間を１１と示している。なお、１１’は、磁極間１１に対して、電気角２πラジアンで、磁極対の繰り返しのため電気角で同じ位置だが機械角で異なる位置の磁極間位置を示している。
＜固定子ティースの位置関係と固定子巻線の構成＞
図２は、図１の同期電動機において巻線の種類および巻回方向を模式的に示す平面図であり、図３は、図１の同期電動機の詳細図である。図４は、図１の同期電動機における巻線の接続関係を示す図であり、図５は、図１の同期電動機の各固定子ティースから生じる磁界の大きさおよび位相を示すベクトル図である。
【００１５】
まず、固定子ティースの位置関係について説明する。
１８個の固定子ティース７にはＨ１からＨ１８までの符号が付されている。固定子ティースＨ２の位置を電気角で０ラジアンの位置とすると、固定子ティースＨ３は電気角で（π＋π／９）ラジアン、すなわち１０π／９ラジアンの位置にあり、固定子ティースＨ４は電気角で（２π＋２π／９）ラジアン、すなわち２π／９ラジアンの位置にあり、固定子ティースＨ５は電気角で（３π＋３π／９）ラジアン、すなわち１２π／９ラジアンの位置にある。このように、固定子ティースＨ２を基準としたときの各固定子ティースの位置を表１に示す。
【００１６】
【表１】
2010050172.tif 000017
【００１７】
固定子ティースＨ１〜Ｈ１８には、電気角で同じ位置にある固定子ティースがｎ個ずつ存在している。ｎは２以上の整数であればよく、本実施形態では、表１から明らかなように、電気角で同じ位置にある固定子ティースが２個ずつある。例えば、固定子ティースＨ２，Ｈ１１の２個は電気角で同じ位置にある。これは、図２において、固定子ティースＨ２の中心軸が磁極間１０に一致するとき、固定子ティースＨ１１の中心軸が磁極間１０’に一致していることからも分かる。
【００１８】
また、固定子ティースＨ１〜Ｈ１８の位置関係は、周方向に並んだｋ個の固定子ティース単位で回転対称になっている。ｋは２以上の整数であればよく、本実施形態では、ｋ＝９である。例えば、図２において、反時計回転方向にＨ１６からＨ６までの９個の固定子ティースの組と、Ｈ７からＨ１５までの９個の固定子ティースの組とが、回転対称になっている。
【００１９】
すなわち、固定子３に含まれる固定子ティース７の個数Ｎは、Ｎ＝ｋ・ｎにより得られ、本実施形態では、ｎ＝２，ｋ＝９より、Ｎ＝１８である。
次に、固定子巻線の構成について説明する。各固定子ティースには、二相交流のＡ相の電流が供給される第一の巻線、および、Ａ相の電流に対してπ／２ラジアン遅れたＢ相の電流が供給される第二の巻線の一方または両方が一心巻、いわゆる集中巻に巻回されている。図２では、第一の巻線に電流が流れたときに固定子端面から見た電流の向きを黒い矢印で模式的に示している。また、同様に第二の巻線に電流が流れたときに固定子端面から見た電流の向きを白い矢印で模式的に示している。
【００２０】
先ず、電気角で２π／３ラジアンの関係にある（従来の３相電動機のＵ相、Ｖ相、Ｗ相に相当する）固定子ティースＨ２，Ｈ１７，Ｈ５の巻線の構成を説明する。
固定子ティースＨ２には、第一の巻線Ｃ２のみがＮ０ターン巻回されている（図２の黒矢印および図３参照）。これにより、固定子ティースＨ２が発生させる磁界の位相はＡ相電流の位相と同じになる（図５、Ｈ２参照）。
【００２１】
本実施形態では、固定子ティースＨ２の位置に対して電気角θｎラジアンの位置にある固定子ティースに第一の巻線がＡｎターン、第二の巻線がＢｎターン巻回されているとすると、ターン数Ａｎ，Ｂｎは以下の関係式を満たす。
【００２２】
Ａｎ≒Ｎ０×ｃｏｓ（θｎ）
Ｂｎ≒Ｎ０×ｓｉｎ（θｎ）
固定子ティースＨ１７は、固定子ティースＨ２に対して電気角で２π／３ラジアン進んだ位置にある。上記関係式により、固定子ティースＨ１７に巻回されている第一の巻線Ｃ１７のターン数Ａ１７、第二の巻線Ｄ１７のターン数Ｂ１７は、以下のようになる。
【００２３】
Ａ１７≒Ｎ０×ｃｏｓ（２π／３）＝Ｎ０×（−０．５０）
Ｂ１７≒Ｎ０×ｓｉｎ（２π／３）＝Ｎ０×０．８７
ここで、ターン数Ａ１７の値が負となるのは、通電時に、固定子ティースＨ１７に巻回された第一の巻線Ｃ１７と固定子ティースＨ２に巻回された第一の巻線Ｃ２とが逆向きの磁界を発生させることを意味する。本実施形態では、これらの巻回方向を逆向きにすることにより、互いに逆向きの磁界を発生させることとしており、図２では逆向きの矢印で示されている。なお、巻回方向を同じ向きにして、一方の巻線では巻き始め端子から巻き終わり端子に向けて電流が流れるように結線し、他方の巻線では巻き終り端子から巻き始め端子に向けて電流が流れるように結線することにしてもよい。
【００２４】
上記の式では、右辺と左辺とがほぼ等しいことを示す記号（≒）を用いているが、これは実際には完全に一致させることが困難な場合が多いためである。上記の記号は、右辺が小数になる場合にはその小数に近い整数を採用する程度の一致を含み、さらには、設計上誤差として無視できる程度の一致を含むこととする。
【００２５】
固定子ティースＨ１７が発生させる磁界は、Ａ相電流により生じる磁界とＢ相電流により生じる磁界との合成磁界となり、その位相は固定子ティースＨ２が発生させる磁界の位相に対して２π／３ラジアン遅れている（図５、Ｈ１７参照）。
【００２６】
一方、固定子ティースＨ５は、固定子ティースＨ２に対して電気角で２π／３ラジアン遅れた位置にある。上記関係式により、固定子ティースＨ５に巻回されている第一の巻線Ｃ５のターン数Ａ５、第二の巻線Ｄ５のターン数Ｂ５は、以下のようになる。
【００２７】
Ａ５≒Ｎ１０×ｃｏｓ（−２π／３）＝Ｎ０×（−０．５０）
Ｂ５≒Ｎ１０×ｓｉｎ（−２π／３）＝Ｎ０×（−０．８７）
固定子ティースＨ５が発生させる磁界は、Ａ相電流により生じる磁界とＢ相電流により生じる磁界との合成磁界となり、その位相は固定子ティースＨ２が発生させる磁界の位相に対して２π／３ラジアン進んでいる（図５、Ｈ５参照）。
【００２８】
このように、第一の巻線と第二の巻線に位相差がπ／２ラジアンである二相交流を通電することで、固定子ティースＨ２，Ｈ１７，Ｈ５では、位相差が２π／３ラジアンの三相交流を流した場合と等価の磁界を発生していることがわかる。
【００２９】
以下、同様に、固定子ティースＨ２と隣接した固定子ティースＨ１，Ｈ３の巻線の構成と固定子ティースに生じる磁界を説明する。
図３に示すように、反時計回転方向を＋方向とすると、固定子ティースＨ１は、固定子ティースＨ２からみて電気角でπラジアンずれた位置からπ／９ラジアン遅れた位置に配置されており、固定子ティースＨ３は、固定子ティースＨ２からみて電気角でπラジアンずれた位置からπ／９ラジアン進んだ位置に配置されている。
【００３０】
固定子ティースＨ２と隣接した固定子ティースＨ１では、第一の巻線Ｃ１がＡ１≒Ｎ０×ｃｏｓ（−π−π／９）＝Ｎ０×（−０．９４）ターン、第二の巻線Ｄ１がＢ１≒Ｎ０×ｓｉｎ（−π−π／９）＝Ｎ０×０．３４ターン巻回されている。第一の巻線Ｃ１のターン数Ａ１が負の値であることは、固定子ティースＨ２に巻回された第一の巻線Ｃ２とは逆向きに巻回されていることを示している。固定子ティースＨ１が発生させる磁界は、Ａ相電流により生じる磁界とＢ相電流により生じる磁界との合成磁界となり、その位相はＡ相を反転させた−Ａ相に対してπ／９ラジアン進んでいる（図５、Ｈ１参照）。
【００３１】
固定子ティースＨ２に隣接した固定子ティースＨ３では、第一の巻線Ｃ３がＡ３＝Ｎ０×ｃｏｓ（π＋π／９）＝Ｎ０×（−０．９４）ターン、第二の巻線Ｄ３がＢ３＝Ｎ１０×ＳＩＮ（π＋π／９）＝Ｎ０×（−０．３４）ターン巻回されている。第一の巻線Ｃ３のターン数が負の値であることは、固定子ティースＨ２に巻回された第一の巻線Ｃ２とは逆向きに巻回されていることを示している。固定子ティースＨ３が発生させる磁界は、Ａ相電流により生じる磁界とＢ相電流により生じる磁界との合成磁界となり、その位相はＡ相を反転させた−Ａ相に対してπ／９ラジアン遅れている（図５、Ｈ３参照）。
【００３２】
このように、本実施形態では、各相の固定子巻線が上記構成をもつため、ひとつの固定子ティースに巻回されたそれぞれの巻線に、それぞれ異なる相の電流が供給されると、当該固定子ティースに生じる磁界は、それぞれの巻線に基づく磁界をベクトル合成したものとなる。
【００３３】
固定子ティースＨ２に巻回される第一の巻線Ｃ２のターン数を１．００としたときの各固定子ティースに巻回される第一および第二の巻線のターン数の比率を表２に示す。
【００３４】
【表２】
2010050172.tif 000018
【００３５】
第一の巻線のターン数の比率がＡ、第二の巻線のターン数の比率がＢ、両者の合計がΣで示されている。なお、巻線の巻回方向を考慮して±で表示している。
固定子ティースＨ２（Ｈ１１）の第一の巻線のターン数の比率Ａは１．００である。固定子ティースＨ２，Ｈ１１は電気角で同じ位置にあるので巻線の構成が同じになる。
【００３６】
固定子ティースＨ３（Ｈ１２）の第一の巻線のターン数の比率Ａは−０．９４である。これは、通電時における磁界の向きが固定子ティースＨ２（Ｈ１１）とは逆向きであることを示すと共に、ターン数の比率が０．９４であることを示している。また、第二の巻線のターン数の比率Ｂは−０．３４である。これは、Ａの通電方向と同じ向きに電流を流した場合に逆方向の磁界を生じることを示すと共に、ターン数の比率が０．３４であることを示している。この固定子ティースＨ３（Ｈ１２）の総ターン数の比率は１．２８に相当する。
【００３７】
固定子ティースＨ４（Ｈ１３）の総ターン数の比率は、１．４１であり、固定子ティースＨ１からＨ１８までの中で最大となる。総ターン数の比率は、１．００から１．４１の範囲で変化している。
【００３８】
各固定子ティースに巻回された巻線の接続関係は、図４に示す通りである。
周方向に並ぶ９個の固定子ティース単位毎に、第一の巻線が直列に接続されている。具体的には、反時計回転方向に並ぶＨ１６からＨ６までの９個の固定子ティースにそれぞれ巻回された第一の巻線Ｃ１６〜Ｃ６が直列に接続され、Ｈ７からＨ１５までの９個の固定子ティースにそれぞれ巻回された第一の巻線Ｃ７〜Ｃ１５が直列に接続されている。そして、それらの組が並列に接続されて外部端子Ｔ１，Ｔ２に接続されている。
【００３９】
また、同じ固定子ティース単位毎に、第二の巻線が直列に接続されている。具体的には、Ｈ１６からＨ６までの９個の固定子ティースにそれぞれ巻回された第二の巻線Ｄ１６〜Ｄ６が直列に接続され、Ｈ７からＨ１５までの９個の固定子ティースにそれぞれ巻回された第二の巻線Ｄ７〜Ｄ１５が直列に接続されている。そして、それらの組が並列に接続されて外部端子Ｔ３，Ｔ４に接続されている。
【００４０】
以上の構成を採用することで次のような効果を得ることができる。
固定子ティースは、電気角で（π＋π／９）ラジアンの間隔で等間隔に配置されており、各固定子ティースが発生させる磁界の位相が（π＋π／９）ラジアンずつずれるように、各固定子ティースに巻回された第一および第２の巻線のターン数が設定されている。したがって、各固定子ティースが最適なタイミングで最大トルクを発生させることができるので全体のトルクを高めることができる。その上、各固定子ティースが最大トルクを発生させるタイミングが分散されるので、従来よりもトルク脈動を低減することができる。
【００４１】
例えば、図３に示すように、固定子ティースＨ２からみて固定子ティースＨ１は、電気角でπラジアンずれた位置からπ／９ラジアン遅れた位置にある。このような位置関係にある固定子ティースＨ１には、図５に示すように磁界Ｈ２を反転した位相（πラジアンずれた位相）からπ／９ラジアンだけ進んだ位相の磁界Ｈ１が生じる。したがって、固定子ティースＨ１の軸と回転子の磁極間１１とが一致したときに固定子ティースＨ１に最大の磁界を生じさせると共に、固定子ティースＨ２の軸と回転子の磁極間１０とが一致したときに固定子ティースＨ２に最大の磁界を生じさせることができる。
【００４２】
また、図３に示すように、固定子ティースＨ２からみて固定子ティースＨ３は、電気角でπラジアンずれた位置からπ／９ラジアン進んだ位置にある。このような位置関係にある固定子ティースＨ３には、図５に示すように磁界Ｈ２を反転した位相（πラジアンずれた位相）からπ／９ラジアンだけ遅れた磁界Ｈ３が生じる。したがって、固定子ティースＨ２の軸と回転子の磁極間１０とが一致したときに固定子ティースＨ２に最大の磁界を生じさせると共に、固定子ティースＨ３の軸と回転子の磁極間１１’とが一致したときに固定子ティースＨ３に最大の磁界を生じさせることができる。
【００４３】
このように、各固定子ティースに巻回されている第一および第二の巻線のターン数は、基準の固定子ティースからみたときの電気角での位置のずれを打ち消すように設定されている。そうすることで固定子ティースの軸と回転子の磁極間とが一致したときに、その固定子ティースに生じる磁界が最大となるので、各固定子ティースが生み出すマグネットトルクを最大とすることができ、全体のトルクを向上させることができる。また、各固定子ティースから生み出されるトルクがほぼ一定となるので、トルク脈動を低減させることができる。
【００４４】
本実施形態は、第一および第二の巻線のうち１種類のみしか巻回されていない固定子ティースを少なくとも一つ有する構成である。このような構成のメリットとして以下のことが挙げられる。
【００４５】
第１に、通電電流の位相を効率よく利用できるので、巻線が高占積率で小型化に有利である。第２に、固定子ティースに巻回されている巻線が１種類であれば、相間絶縁が不要となり、信頼性が向上する。第３に、相間絶縁のための絶縁材のスペースが不要となり、その分を巻線に利用できるので高占積率で小型化に有利である。
＜トルクの比較＞
次に、本実施形態の同期電動機から得られるトルクと、従来の同期電動機から得られるトルクとを比較する。図６は、従来の同期電動機の詳細図である。従来の同期電動機４１は、２種類の巻線（第一の巻線をＡ相、第二の巻線をＢ相）で構成された、いわゆる二相モータである。同期電動機４１は、永久磁石４５を含む回転子４２と固定子ティース４７を含む固定子４３からなる。
【００４６】
固定子ティース４７の４個が、＋Ａ相、＋Ｂ相、−Ａ相、−Ｂ相として、回転子の二つの磁極ＮＳ（２πラジアン）に対向している。固定子ティース４７の周方向の間隔は電気角でπ／２ラジアンであり等間隔である。各固定子ティース４７には、２種類の巻線のうちの一方のみが集中巻に巻回されている。
【００４７】
この従来形態の極数は本実施形態と同じであり、永久磁石４５が２０個用いられた２０極である。一方、従来形態の固定子ティース４７の個数は集中巻に必要な４０個となる。磁極ＮＳの２種類の回転子磁極に対して、固定子ティースの巻線は＋Ａ、＋Ｂ、−Ａ、−Ｂの４種類であるので、通電電流の１周期にあたる１電気角において４個のトルク脈動が生じる。また、無通電時のトルク脈動であるコギングトルクも１回転当り４０個となり滑らかな回転を得ることは困難である。
【００４８】
図７は、トルクの時間変化を示す図である。
本実施形態の同期電動機から得られるトルク波形をＴ１で示し、従来の同期電動機から得られるトルク波形をＴ０で示す。両者は、１磁極対に対向する固定子巻線の巻数と通電する電流の積を同じとして比較した。これによると、トルクの大きさについては、本実施形態では従来に比べて１４０％高めることができた。また、平均トルクに対するトルク脈動の比であるトルク脈動率については、本実施形態では従来例の１２０％に比べて５．３％にまで大幅に低減させることができた。このように本実施形態によれば、従来トレードオフの関係と考えられていた高トルク化とトルク脈動の低減とを両立させることができた。
＜補足説明＞
本実施形態の同期電動機では、回転子磁極の間隔が機械角１８ｄｅｇ（電気角πラジアン）であるのに対し、固定子ティースの間隔は機械角１８ｄｅｇからずれた機械角２０ｄｅｇとしている。このように機械的な位相差をもたせることにより、無通電時のトルク脈動であるコギングトルクを低減することができる。
【００４９】
また、本実施形態の同期電動機では、固定子ティースは電気角πラジアンに対して各々π／９ラジアンの位相差をもつ配置となっており、各固定子ティースに生じる磁界には、π／２ラジアンの位相差を持つ２種類の巻線の巻数比を変えて固定子ティースに巻回することで、π／９ラジアンの位相差をもたせている。そのため、各々の固定子ティースから得られるトルクを同じにすることができるのでπ／３ラジアンを基本周期とするトルク脈動を打ち消すことができ、かつ、各々の固定子ティースから得られるトルクを最大にすることができるので全体のトルクを高めることができる。
【００５０】
なお、上述の説明では、永久磁石によるマグネットトルクのみを考慮していたので、固定子ティースの軸と回転子の磁極間とが一致したときに、その固定子ティースに生じる磁界の大きさが最大となるように磁界の位相を調整している。しかしながら、本実施形態の同期電動機は、回転子コア内部に永久磁石を配置した、いわゆる磁石埋込み型同期電動機であり、磁石によるマグネットトルクに加えて、磁気抵抗の差によるリラクタンストルクを利用することができる同期電動機である。そのため、マグネットトルクとリラクタンストルクの両者を生かして最大トルクを得るために、固定子ティースの軸と回転子の磁極間とがずれた位置関係で固定子ティースに生じる磁界の大きさが最大となるように磁界の位相を調整することが有効な場合がある。
【００５１】
また、本実施形態では、固定子ティースに固定子巻線を巻回するのに集中巻を採用している。そのため、固定子の端面の巻線いわゆるコイルエンドの小型化が図れ、同期電動機の小型化ができる。また、巻線のコイルエンドは、電流を流してもトルクに寄与しない部分であり、通電時の巻線抵抗によるジュール損である銅損を低下することができ高効率である。
【００５２】
また、本実施形態では、回転子が固定子の外周側に配置された、いわゆるアウターロータ型を採用している。そのため、同じ体積で比較した場合、回転子が固定子の内周側に配置されたインナーロータ型に比べて、回転子径を大きくすることができる。したがって、本実施形態のような極数が２０となるような同期電動機でも、永久磁石の大きさを小さくする必要がないので有効磁束の低下を防ぐことができる。
【００５３】
また、本実施形態では、回転子磁極の数が２０個、固定子ティースの数が１８個の同期電動機であるが、固定子ティースが９個や２７個といった９の倍数に対して、回転子の磁極数が１０の倍数の組み合わせ、すなわち１０ｑ極９ｑティース（ｑは正の整数）の組み合わせであれば、電気角で上記の関係が成立する配置関係とすることで、同様の効果が得られる。
【００５４】
また、本実施形態では、１８個の固定子ティースには電気角で同じ位置にある固定子ティースが２個ずつ存在し、かつ、それらの位置関係が周方向に並んだ９個の固定子ティース単位で回転対称になっている。したがって、固定子ティースによるラジアル方向の合成吸引力が０となり、回転子に磁気吸引力が作用しない。したがって、軸受寿命に悪影響を与えることがなくなり、長寿命の同期電動機が得られる。同様に３０極２７ティースでは、９個の固定子ティースで構成された組み合わせが３組、軸に対して機械角で１２０ｄｅｇごとの配置となるため、巻線に通電した固定子ティースによるラジアル方向の合成吸引力が０となり、回転子に磁気吸引力が作用しない。
【００５５】
また、固定子ティースおよび回転子の磁極のいずれか、または両者を回転軸方向で旋回した構成とすることで、磁束変化がより滑らかになり、さらなる低振動な同期電動機とすることができる。
【００５６】
また、固定子の磁性材を圧粉鉄心材や、薄板の磁性材や、アモルファス磁性材を用いることで鉄損を大幅に低減することができ、より高効率な同期電動機とすることができる。
また、１極を構成する永久磁石を複数個で構成することにより永久磁石に発生する渦電流損を低減でき、より高効率な同期電動機とすることができる。
【００５７】
また、巻線の複数の細い径の巻線や、扁平な平角線とすることで巻線の表面積を拡大し、高周波駆動時の表皮効果を低減して高効率な同期電動機とすることができる。
本実施形態では、図５の磁界の大きさおよび位相を示すベクトル図で明らかなように、入力される電流は第一相の電流（ベクトルＡ）と第二相の電流（ベクトルＢ）であるが、固定子ティースには、両者の巻線のターン数の比で合成したＨ１からＨ９（Ｈ１０からＨ１８）の９種類の位相を作り出すことができる。したがって、通常の２相電動機のπ／２ラジアンに対して、２π／９ラジアンの位相差で駆動することができるので、２倍以上滑らかな駆動が可能である。
【００５８】
以上、本実施形態によれば、トルクを向上させてトルク脈動を低減することができ、小型、高出力、低振動、低騒音、高効率な同期電動機を提供することができる。
（第２の実施形態）
第２の実施形態は、固定子ティースの配置角度と巻線の構成が第１の実施形態と異なる。これ以外の構成については第１の実施形態と同様なので説明を省略する。
【００５９】
図８は、本発明の第２の実施形態に係る同期電動機において巻線の種類および巻回方向を示す平面図であり、図９は、図８の同期電動機の各固定子ティースから生じる磁界の大きさおよび位相を示すベクトル図である。
【００６０】
第１の実施形態との差異は、同期電動機２１において、固定子ティースの配置が等間隔ではないこと、第一および第二の巻線のターン数の比率が異なることである。固定子ティースの配置を等間隔からずらした場合、第一および第二の巻線のターン数が等間隔の配置を前提として決められた値のままにすると、その固定子ティースから生じる磁界の位相が最適な位相からずれてしまう。そこで、等間隔の配置からずれた分だけ第一および第二のターン数を補正し、固定子ティースから生じる磁界に位相を最適に設定するものである。
＜固定子ティースの位置関係と固定子巻線の構成＞
第１の実施形態では固定子ティースの配置角度は２０ｄｅｇ（機械角）で等間隔であった。図８に、２０ｄｅｇの等間隔ではない固定子ティースをＨ４Ａ、Ｈ９Ａ、Ｈ１３Ａ、Ｈ１８Ａと、Ｈ６Ａ、Ｈ７Ａ、Ｈ１５Ａ、Ｈ１６Ａで示した。
【００６１】
固定子ティースＨ４ＡはＨ３に対して、Ｈ９ＡはＨ１０に対して、Ｈ１３ＡはＨ１２に対して、Ｈ１８ＡはＨ１に対して１９ｄｅｇの間隔に配置され、第１の実施形態に対して１ｄｅｇ（電気角で１０ｄｅｇ、π／１８ラジアン）ずれている。
【００６２】
また、固定子ティースＨ６ＡはＨ５に対して、Ｈ７ＡはＨ８に対して、Ｈ１５ＡはＨ１４に対して、Ｈ１６ＡはＨ１７に対して２１ｄｅｇの間隔に配置され、第１の実施形態に対して１ｄｅｇ（電気角で１０ｄｅｇ、π／１８ラジアン）ずれている。よって、Ｈ６ＡとＨ７Ａは電気角でπラジアン間隔の配置となり、Ｈ１５ＡとＨ１６Ａも電気角でπラジアン間隔の配置となる。
【００６３】
本実施形態では、固定子ティースを等間隔とした場合の位置から電気角で±π／９ラジアンの範囲内で固定子ティースの位置をずらしてある。固定子ティースＨ２を基準としたときの各固定子ティースの位置を表３に示す。
【００６４】
【表３】
2010050172.tif 000019
【００６５】
これによれば、１８個の固定子ティースが不等間隔であるものの、電気角で同じ位置にある固定子ティースが２個ずつ存在し、かつ、周方向に並んだ９個の固定子ティース単位で回転対称であることが分かる。
【００６６】
次に、固定子巻線の構成について説明する。
固定子ティースには、第一および第二の巻線の両方または一方がいわゆる集中巻で巻回されている。図８では、第一の巻線に通電した場合に電流の流れる方向を黒い矢印で模式的に示している。また、同様に第二の巻線に通電した場合に電流の流れる方向を白い矢印で模式的に示している。
【００６７】
固定子ティースに巻回された第一および第二の巻線のターン数の比率を表４に示す。
【００６８】
【表４】
2010050172.tif 000020
【００６９】
第２の実施形態では、Ｈ４Ａ（Ｈ１３Ａ）、Ｈ６Ａ（Ｈ１５Ａ）、Ｈ７Ａ（Ｈ１６Ａ）、Ｈ９Ａ（Ｈ１８Ａ）の配置を等間隔からずらし、その分だけターン数の比率を補正している。なお、第一および第二の巻線のターン数が以下の関係式から得られること自体は、第１の実施形態と同様である。
【００７０】
Ａｎ≒Ｎ０×ｃｏｓ（θｎ）
Ｂｎ≒Ｎ０×ｓｉｎ（θｎ）
例えば、Ｈ６Ａ（Ｈ１５Ａ）、Ｈ７Ａ（Ｈ１６Ａ）では、第二の巻線２９ｂのみが巻回されていて、これらの固定子ティースの総ターン数の比率は１である。これにより、第１の実施形態のＨ６（Ｈ１５）、Ｈ７（Ｈ１６）の総ターン数の比率１．１６に比べて少ないターン数とすることができる。
【００７１】
また、固定子ティースＨ４Ａ（Ｈ１３Ａ）、Ｈ９Ａ（Ｈ１８Ａ）では、等間隔の場合に対して配置位置が電気角でπ／１８ラジアン（１０ｄｅｇ）だけずれているので、第一の巻線のターン数の比率を０．８７、第二の巻線のターン数の比率を０．５０、総ターン数の比率を１．３７としている。これにより、第１の実施形態のＨ４（Ｈ１３）、Ｈ９（Ｈ１８）の総ターン数の比率１．４１に比べて少ないターン数とすることができる。
【００７２】
このように、本実施形態では、総ターン数の比率を小さくすることにより巻線積占率を増加させることができ、第１の実施形態と同等の効果を得、かつ、さらなる小型化に優位である。
【００７３】
また、本実施形態では、第１の実施形態に比べて第一および第二の巻線の一方のみしか巻回しない固定子ティースの個数を増やすことができる。これにより、製造コストの削減を図ることができる。
【００７４】
本実施形態では、図９の磁界の大きさおよび位相を示すベクトル図で明らかなように、入力される電流は第一相の電流（ベクトルＡ）と第二相の電流（ベクトルＢ）であるが、固定子ティースには、両者の巻線のターン数の比で合成したＨ１からＨ９Ａ（Ｈ１０からＨ１８Ａ）の９種類の位相を作り出すことができ、通常の２相電動機のπ／２ラジアンに対して、π／６ラジアンと２π／９ラジアンとπ／３ラジアンの位相差で駆動することができるので、１．５倍から２倍程度滑らかな駆動が可能である。
【００７５】
また、本実施形態では、僅かな固定子ティースの配置変更と巻線比の変更により、９種類の位相差を等間隔から変更することができる特徴を有する。このことから、任意の位相差の組み合わせを実現することが示唆でき、電動機を搭載される機器によって避け難い共振が発生した場合に容易に共振を避けることができる。
【００７６】
上記構成により、固定子ティースの電気角での配置間隔を二相交流の位相差の整数倍に相当する位置からずらすことでトルク脈動を低減することが可能である。すなわち、無通電時のコギングトルクの次数を高くすることができ、コギングトルクの値を小さくできる。
【００７７】
さらに、二相交流の位相差の整数倍に相当する位置からずらして配置した固定子ティースには、第一および第二の巻線の両方を、ずらした分を補正する巻線比率で巻回することで、通電時には、固定子ティースから発生させるトルクを大きくすることができ、トルクを低減することなく、トルク脈動を低減することが可能である。
【００７８】
以上、本発明に係る同期電動機について、実施形態に基づいて説明したが、本発明はこれらの実施形態に限られない。例えば、以下のような変形例が考えられる。
（１）実施形態では、ある固定子ティースを基準としたとき、残りの固定子ティースのうち全部または大部分の固定子ティースは電気角による角度で二相交流の位相差（π／２ラジアン）の整数倍に相当する位置からずれた位置に配置されている。しかしながら、本発明はこれに限らず、残りの固定子ティースのうちの一つでもずれた位置関係にあることとすることにより、従来よりもトルク脈動を低減することができる。
（２）実施形態では、二相交流の位相差をπ／２ラジアンとしているが、本発明は、これに限られない。二相交流の位相差を任意のφラジアンとした場合には、各固定子ティースの第一および第二の巻線のターン数は以下の関係式により得ることができる。
【００７９】
Ａｎ＝Ｎ０×｛ｃｏｓ（θｎ）−ｓｉｎ（θｎ）／ｔａｎ（φ）｝
Ｂｎ＝Ｎ０×｛ｓｉｎ（θｎ）／ｓｉｎ（φ）｝
（３）実施形態では、図４に示すように、固定子ティース単位毎に第一の巻線が直列に接続され、それと同じ固定子ティース単位毎に第二の巻線が直列に接続されている。すなわち、第一の巻線を直列に接続する固定子ティース単位と第二の巻線を直列に接続する固定子ティース単位とが同じである。しかしながら、本発明は、周方向に並ぶｋ個（本実施形態ではｋ＝９）の固定子ティース単位毎に直列に接続しさえすれば、第一の巻線を直列に接続する固定子ティース単位と第二の巻線を直列に接続する固定子ティース単位とが異なっていても構わない。そのような例を図１０（ａ）に示す。図１０（ａ）では、第一の巻線については、周方向に並んだＨ１６からＨ６までの９個の固定子ティースとＨ７からＨ１５までの９個の固定子ティースとで直列接続される単位が分かれている。これに対し、第二の巻線については、周方向に並んだＨ２からＨ１０までの９個の固定子ティースとＨ１１からＨ１までの９個の固定子ティースとで直列接続される単位が分かれている。
（４）実施形態では、図４に示すように、第一の巻線Ｃ１６〜Ｃ６の組とＣ７〜Ｃ１５の組とが並列に接続されていると共に、第二の巻線Ｄ１６〜Ｄ６の組とＤ７〜Ｄ１５の組とが並列に接続されているが、本発明は、これに限らない。例えば、図１０（ｂ）に示すように、第一の巻線Ｃ１６〜Ｃ６の組とＣ７〜Ｃ１５の組とが直列に接続されると共に、第二の巻線Ｄ１６〜Ｄ６の組とＤ７〜Ｄ１５の組とが直列に接続されることとしてもよい。
（５）本実施形態では、固定子ティースの個数が１８、磁極の個数が２０の例で説明しているが、本発明はこれに限られない。固定子ティースの個数が４以上であり、磁極の個数が固定子ティースの個数と異なる偶数個であれば、本発明を適用することができる。
（６）実施形態では、１０ｑ極９ｑティースの構成を挙げているが、本発明はこれに限らない磁極とティース数の組み合わせが可能である。例えば、８ｑ極９ｑティース、１０ｑ極１２ｑティース（ｑは正の整数）、１６ｑ極１５ｑティースの構成でも構わない。
（７）実施形態では２相駆動で、３相駆動と等価の同期電動機を例示しているが、本発明は、２相駆動で、例えば５相や７相など多相駆動と等価の同期電動機にも適用可能である。
（８）実施形態では固定子巻線は固定子ティースに巻回されているが、本発明はこれに限らず、固定子ティースのない、いわゆるコアレスモータにも適用可能である。
（９）実施形態では特に挙げていないが、固定子巻線が回転子の軸方向に進むほど周方向に最大で固定子巻線の配置間隔だけずれていくスキュー配置を施すこととしてもよい。
（１０）実施形態では、回転子が固定子の外側に配置されたアウターロータ型の同期電動機で説明しているが、回転子を固定子の内側に配置したインナーロータ型の同期電動機や、回転子と固定子とが軸方向に空隙を持って配置された、いわゆる面対向のアキシャルギャップ式同期電動機や、それらを複数組み合わせた構造の同期電動機でも同じ効果があることは言うまでもない。
（１１）実施形態では、回転子の磁極を永久磁石により構成したが、磁気抵抗の差で構成したリラクタンストルクを利用した同期電動機、回転子に両者を組み合わせた同期電動機でも適用可能である。
（１２）本発明は、同期回転機に限らず、同期発電機、また、直動駆動されるリニア同期電動機、リニア同期発電機にも適用できる。
（１３）本発明は、小型、高出力、低振動、低騒音、高効率な同期電動機を提供することができ、低振動、低騒音性が要求される自動車用途に特に有用である。
【産業上の利用可能性】
【００８０】
本発明は、小型高効率で低振動低騒音性が要求される、コンプレッサ用、電気自動車、ハイブリッド自動車、燃料電池自動車等の同期電動機に利用可能である。
【符号の説明】
【００８１】
１、２１、４１    同期電動機
２、４２    回転子
３、４３    固定子
４    回転子コア
５、４５    永久磁石
６    磁極
７、４７    固定子ティース
８    固定子ヨーク
９    巻線
１０、１１  回転子磁極間
【手続補正２】
【補正対象書類名】特許請求の範囲
【補正対象項目名】全文
【補正方法】変更
【補正の内容】
【特許請求の範囲】
【請求項１】
第一相および第二相の交流からなる二相交流により駆動される同期電動機であって、
周方向に等間隔に配置された複数の磁極を含む回転子と、
環状の固定子ヨークおよび当該固定子ヨークに周方向に間隔をあけて配置されたＮ（Ｎは４以上の整数）個の固定子ティースを含む固定子とを備え、
前記固定子において、電気角で同じ位置にある固定子ティースがｎ（ｎは２以上の整数）個ずつ存在し、周方向に並んだｋ（ｋは２以上の整数）個の固定子ティース単位で回転対称になって、前記Ｎ個（Ｎは４以上の整数で、Ｎ＝ｋ・ｎ）の固定子ティースを構成しており、
各固定子ティース単位において、ｋ個の固定子ティースのうちの一つを基準の固定子ティースとしたとき、残りの固定子ティースのうちの少なくとも一つは、前記基準の固定子ティースに対して電気角で前記二相交流の位相差の整数倍に相当する位置からずれた位置にあり、
前記基準の固定子ティースには、前記第一相の交流が供給される第一の巻線および前記第二相の交流が供給される第二の巻線の何れか一方のみが集中巻に巻回され、
前記ずれた位置にある固定子ティースには、前記第一相の交流が供給される第一の巻線および前記第二相の交流が供給される第二の巻線の両方がそれぞれ集中巻に巻回され、
前記固定子ティース単位毎に、固定子ティースに巻回された第一の巻線が直列に接続され、
前記固定子ティース単位と同じ、または、それとは異なる周方向に並んだｋ個の固定子ティース単位毎に、固定子ティースに巻回された第二の巻線が直列に接続されていること
を特徴とする同期電動機。
【請求項２】
前記Ｎ個の固定子ティースにおいて、前記第一相の電流が供給される第一の巻線および前記第二相の電流が供給される第二の巻線は、隣接する固定子ティースが互いに逆向きの磁界を発生させるように巻回されていること
を特徴とする請求項１に記載の同期電動機。
【請求項３】
前記二相交流の位相差をφラジアンとし、
前記基準の固定子ティースの位置に対する前記ずれた位置にある固定子ティースの位置を電気角でθｎラジアンとし、
前記基準の固定子ティースには、前記第一相の交流が供給される第一の巻線のみが巻回されており、そのターン数をＮ０とし、
前記ずれた位置にある固定子ティースに巻回された第一の巻線のターン数Ａｎ、第二の巻線のターン数Ｂｎは、以下の関係式から得られ、
Ａｎ＝Ｎ０×｛ｃｏｓ（θｎ）−ｓｉｎ（θｎ）／ｔａｎ（φ）｝
Ｂｎ＝Ｎ０×｛ｓｉｎ（θｎ）／ｓｉｎ（φ）｝
ターン数Ａｎ、Ｂｎの値の正負は、通電時において発生する磁界の向きを示すこと
を特徴とする請求項１に記載の同期電動機。
【請求項４】
前記二相交流の位相差をπ／２ラジアンとし、
前記基準の固定子ティースの位置に対する前記ずれた位置にある固定子ティースの位置を電気角でθｎラジアンとし、
前記基準の固定子ティースには、前記第一相が供給される第一の巻線のみが巻回されており、そのターン数をＮ０とし、
前記ずれた位置にある固定子ティースに巻回された第一の巻線のターン数Ａｎ、第二の巻線のターン数Ｂｎは、以下の関係式から得られ、
Ａｎ＝Ｎ０×ｃｏｓ（θｎ）
Ｂｎ＝Ｎ０×ｓｉｎ（θｎ）
ターン数Ａｎ、Ｂｎの値の正負は、通電時において発生する磁界の向きを示すこと
を特徴とする請求項１に記載の同期電動機。
【請求項５】
前記Ｎ個の固定子ティースが等間隔で配置されており、前記残りの固定子ティースの全部が、前記ずれた位置にある固定子ティースであること
を特徴とする請求項１に記載の同期電動機。
【請求項６】
前記基準の固定子ティースを中央にして９個の固定子ティースの組が二つ以上周方向に繰り返された構成を有すること
を特徴とする請求項５に記載の同期電動機。
【請求項７】
前記Ｎ個の固定子ティースが不等間隔で配置されており、前記残りの固定子ティースの中には、前記基準の固定子ティースの位置に対して電気角で前記二相交流の位相差の整数倍に相当する位置からずれた位置にある固定子ティースとずれていない位置にある固定子ティースとがあり、
前記ずれていない位置にある固定子ティースには、前記第一相の電流が供給される第一の巻線および前記第二相の電流が供給される第二の巻線の何れか一方のみが集中巻に巻回されていること
を特徴とする請求項１に記載の同期電動機。
【請求項８】
前記基準の固定子ティースを中央にして９個の固定子ティースの組が二つ以上周方向に繰り返された構成を有し、
前記基準の固定子ティースには、前記第一の巻線のみが巻回されており、
前記９個の固定子ティースの組の両端の固定子ティースは、どちらも前記ずれていない位置にある固定子ティースであり、これらには第二の巻線のみが巻回されていること
を特徴とする請求項７に記載の同期電動機。
【請求項９】
前記磁極の数は前記固定子ティースの数と異なる偶数個であること
を特徴とする請求項１に記載の同期電動機。
【請求項１０】
前記磁極の数は１０以上であること
を特徴とする請求項９に記載の同期電動機。
【請求項１１】
前記同期電動機は、各巻線の位置関係を維持しつつ前記固定子ティースを無くしたコアレス型の同期電動機であること
を特徴とする請求項１に記載の同期電動機。
【請求項１２】
前記Ｎ個の固定子ティースのうち少なくとも一つは、前記回転子の軸方向に進むほど周方向に最大で固定子ティースの配置間隔だけずれていくスキュー配置が施されていること
を特徴とする請求項１に記載の同期電動機。
【請求項１３】
前記同期電動機は、インナーロータ型であること
を特徴とする請求項１に記載の同期電動機。
【請求項１４】
前記同期電動機は、永久磁石埋め込み型であること
を特徴とする請求項１に記載の同期電動機。
【請求項１５】
前記同期電動機は、自動車用であること
を特徴とする請求項１に記載の同期電動機。
【手続補正３】
【補正対象書類名】図面
【補正対象項目名】全図
【補正方法】変更
【補正の内容】
【図１】
2010050172.tif 000021
【図２】
2010050172.tif 000022
【図３】
2010050172.tif 000023
【図４】
2010050172.tif 000024
【図５】
2010050172.tif 000025
【図６】
2010050172.tif 000026
【図７】
2010050172.tif 000027
【図８】
2010050172.tif 000028
【図９】
2010050172.tif 000029
【図１０】
2010050172.tif 000030
【国際調査報告】
2010050172.tif 000031
2010050172.tif 000032
2010050172.tif 000033